(57)【要約】【課題】汎用性の高い複数のバッテリパックを用いたチェーンソーにおいて、操作性のよいチェーンソーを提供することを目的とする。【解決手段】チェーンソー１０は、本体ケーシング１１と、本体ケーシング１１から突出して設けたガイドバー２１と、ガイドバー２１の周部に回転可能に取り付けたソーチェーン２２と、ソーチェーン２２を回転させる電動モータ２３と、本体ケーシング１１の上部にて前後方向に延出したトップハンドル１２とを備えている。本体ケーシング１１には電動モータ２３に給電する電源３０として複数のバッテリパック３１が取り付けられており、チェーンソー１０を後側から見たときの重心Ｇがトップハンドル１２のグリップ部１２ａの上下方向に延びる左右方向の中心線Ｃｗからグリップ部１２ａの左右方向の長さＷの２倍の範囲Ｒに位置するように、バッテリパック３１を本体ケーシング１１に配置した。【選択図】図５
2014148117.tif 000002
【特許請求の範囲】
【請求項１】
本体ケーシングと、
前記本体ケーシングから前方に突出して設けたガイドバーと、
前記ガイドバーの周部に取り付けたソーチェーンと、
前記本体ケーシング内に設けられ、前記ソーチェーンを前記ガイドバーに沿って回転させる電動モータと、
前記ガイドバーより上側となる前記本体ケーシングの上部にて前後方向に延出して設けられ、前後方向の中間部に作業者が把持するグリップ部を有したトップハンドルと、
前記本体ケーシングに着脱可能に取り付けられ、前記電動モータに給電する電源であり、電動工具の電源として使用可能であるとともに充電可能な複数のバッテリパックとを備えたチェーンソーであって、
前記チェーンソーの後側からみたときの重心が前記グリップ部の上下方向に延びる左右方向の中心線から左右両側に前記グリップ部の左右方向の長さの２倍、好ましくは前記グリップ部の左右方向の長さと同じ長さの範囲に位置するように、前記複数のバッテリパックを配置したことを特徴とするチェーンソー。
【請求項２】
請求項１に記載のチェーンソーにおいて、
前記チェーンソーの後側から見たときの重心を前記グリップ部の上下方向に延びる左右方向の中心線から前記範囲内にて左右方向にオフセットさせたことを特徴とするチェーンソー。
【請求項３】
請求項１または２に記載のチェーンソーにおいて、
前記複数のバッテリパックの各々の重心を前記範囲内に位置するように配置したことを特徴とするチェーンソー。
【請求項４】
請求項１〜３の何れか１項に記載のチェーンソーにおいて、
前記グリップ部の前部には前記電動モータを作動させるスイッチを有し、
前記チェーンソーを側方から見たときの重心が前記スイッチの直ぐ後ろ位置を通る鉛直方向の直線から前後両側に１００ｍｍの長さの前後範囲内に位置するように、前記複数のバッテリパックを配置したことを特徴とするチェーンソー。
【請求項５】
請求項１〜４の何れか１項に記載のチェーンソーにおいて、
前記複数のバッテリパックは２つのバッテリパックであるときに、前記２つのバッテリパックの重心が前記グリップ部の上下方向に延びる左右方向の中心線からの左右両側に分かれるように配置したことを特徴とするチェーンソー。
【請求項６】
請求項１〜５の何れか１項に記載のチェーンソーにおいて、
前記複数のバッテリパックを前記本体ケーシングの底部に取り付けたときに、
前記チェーンソーの重心が上下方向から見たときの前記複数のバッテリパックの範囲内の上側に位置するように、前記複数のバッテリパックを配置したことを特徴とするチェーンソー。
【請求項７】
請求項１〜５の何れか１項に記載のチェーンソーにおいて、
前記複数のバッテリパックを前記本体ケーシングの下部に取り付け、
前記チェーンソーを水平な支持面に載置した載置状態にて、前記本体ケーシングの下部と前記バッテリパックとが前記支持面に接地するようにしたときに、
前記チェーンソーの重心が前記本体ケーシングの接地部と前記バッテリパックの接地部との間に位置するように、前記複数のバッテリパックを配置したことを特徴とするチェーンソー。
【請求項８】
請求項１〜７の何れか１項に記載のチェーンソーにおいて、
前記チェーンソーを水平な支持面に載置した載置状態にて、前記バッテリパックが前記支持面に接地する位置に配置されたときに、前記バッテリパックを覆う保護部材を設けたことを特徴とするチェーンソー。
【請求項９】
請求項１〜８の何れか１項に記載のチェーンソーにおいて、
前記複数のバッテリパックを並列した位置に配置したことを特徴とするチェーンソー。
【請求項１０】
請求項９に記載のチェーンソーにおいて、
前記並列した位置に配置した複数のバッテリパックの互いに隣り合う壁面の間隔を１５ｍｍ以上としたことを特徴とするチェーンソー。
【請求項１１】
請求項９に記載のチェーンソーにおいて、
前記バッテリパックの体積が２００ｃｍ3以上であり、
前記並列した位置に配置した複数のバッテリパックの互いに隣り合う壁面の間隔を１５ｍｍ未満としたことを特徴とするチェーンソー。
【請求項１２】
請求項１〜１１の何れか１項に記載のチェーンソーにおいて、
前記本体ケーシングには前記複数のバッテリパックを取り付けるための複数の取付部を備えたことを特徴とするチェーンソー。
【請求項１３】
請求項１２に記載のチェーンソーにおいて、
前記バッテリパックは電池を内蔵したケーシングの周壁に電気コネクタと、前記電気コネクタの両側に配置される一対のレールを備え、
前記取付部は前記一対のレールに摺動自在に係合する一対のガイドレールを備えたことを特徴とするチェーンソー。
【請求項１４】
請求項１３に記載のチェーンソーにおいて、
前記バッテリパックには前記取付部に対して進退可能に突出するフックと、
前記取付部には前記フックに係止する係止部とを備え、
前記フックを前記係止部に係止させることで、前記バッテリパックの一対のレールが前記取付部の一対のガイドレールに対して摺動移動するのを規制するようにしたことを特徴とするチェーンソー。
【請求項１５】
請求項１４に記載のチェーンソーにおいて、
前記バッテリパックを前記取付部に取り付けた状態から前記ガイドレールに沿って取り外す方向に付勢する付勢部材を前記取付部に設けたことを特徴とするチェーンソー。
【請求項１６】
請求項１５に記載のチェーンソーにおいて、
前記取付部には、前記バッテリパックを前記ガイドレールに沿って摺動自在に差し込む差込口を有し、前記バッテリパックの周囲を覆うバッテリパック収容部を設けたことを特徴とするチェーンソー。
【請求項１７】
請求項１〜１６の何れか１項に記載のチェーンソーにおいて、
前記複数のバッテリパックを前記電動モータに対して直列接続したことを特徴とするチェーンソー。
【請求項１８】
請求項１〜１６の何れか１項に記載のチェーンソーにおいて、
前記複数のバッテリパックを前記電動モータに対して並列接続したことを特徴とするチェーンソー。
【発明の詳細な説明】
【技術分野】
【０００１】
本発明は、充電式のバッテリパックを用いた電動式のチェーンソーに関する。
【背景技術】
【０００２】
特許文献１には電動式のチェーンソーが開示されている。このチェーンソーは、本体ケーシングと、本体ケーシングから前方に突出して設けた板状のガイドバーと、ガイドバーの周部に取り付けたソーチェーンと、ソーチェーンをガイドバーに沿って回転させる電動モータとを備えている。また、本体ケーシングの後部には電動モータに給電するバッテリパックが着脱可能に取り付けられている。チェーンソーは、ガイドバーより上側となる本体ケーシングの上部に前後方向に延びるトップハンドルと、本体ケーシングの前部にトップハンドルと直交する左右方向に延びるフロンハンドルとを備えている。トップハンドルの長手方向の中間部には作業者が把持するグリップ部が設けられており、トップハンドルのグリップ部の前部の下部には電動モータを作動させるトリガスイッチが設けられている。
【０００３】
このチェーンソーを使用するときには、作業者は右手でトップハンドルのグリップ部を把持するとともに左手でフロントハンドルを把持し、右手の手指でトリガスイッチを操作して電動モータを作動させると、ソーチェーンが電動モータの作動によってガイドバーの周部を回転し、ソーチェーンが回転するガイドバーを木材に当てることによって木材が切断される。
【先行技術文献】
【特許文献】
【０００４】
【特許文献１】特開２０１１−１３６５４１号公報
【発明の概要】
【発明が解決しようとする課題】
【０００５】
上記のチェーンソーにおいては、電動モータは本体ケーシングの後部に取り付けた１つのバッテリパックにより給電されている。このチェーンソーは、高出力の電動モータを駆動させるために高電圧（例えば３６Ｖ）の大型のバッテリパックを用いることが多い。この高電圧の大型のバッテリパックは高価であり汎用性が高くないので、所有している電動工具等の他の作業機の電源に適合しないことが多かった。そこで、チェーンソーの電源に電動工具等で用いられる小型で汎用性の高いバッテリパックを複数用いるようにすれば、ユーザは多種のバッテリパックを所持する必要がなくなり、ユーザの使い勝手がよくなる。しかし、複数のバッテリパックを本体ケーシングの適切な位置に取り付けないと、チェーンソーが前後または左右に傾きやすくなり、チェーンソーの操作性が低下するおそれがあった。本発明は、チェーンソーの電源に小型で汎用性の高い複数のバッテリパックを用いたときに、操作性のよいチェーンソーを提供することを目的とする。
【課題を解決するための手段】
【０００６】
上記課題を解決するために、本発明は、本体ケーシングと、本体ケーシングから前方に突出して設けたガイドバーと、ガイドバーの周部に取り付けたソーチェーンと、本体ケーシング内に設けられ、ソーチェーンをガイドバーに沿って回転させる電動モータと、ガイドバーより上側となる本体ケーシングの上部にて前後方向に延出して設けられ、前後方向の中間部に作業者が把持するグリップ部を有したトップハンドルと、本体ケーシングに着脱可能に取り付けられ、電動モータに給電する電源であり、電動工具の電源として使用可能であるとともに充電可能な複数のバッテリパックとを備えたチェーンソーであって、チェーンソーの後側からみたときの重心がグリップ部の上下方向に延びる左右方向の中心線から左右両側にグリップ部の左右方向の長さの２倍、好ましくはグリップ部の左右方向の長さと同じ長さの範囲に位置するように、複数のバッテリパックを配置したことを特徴とするチェーンソーを提供するものである。
【０００７】
上記のように構成したチェーンソーにおいては、チェーンソーの後側からみたときの重心がグリップ部の上下方向に延びる左右方向の中心線から左右両側にグリップ部の左右方向の長さの２倍、好ましくはグリップ部の左右方向の長さと同じ長さの範囲に位置するように、複数のバッテリパックを配置したので、チェーンソーのトップハンドルのグリップ部を把持したときに、チェーンソーが左右方向に傾きにくくなる。これにより、グリップ部を強く把持する必要がなく、疲れにくくなった。
【０００８】
上記のように構成したチェーンソーにおいては、チェーンソーの後側から見たときの重心をグリップ部の上下方向に延びる左右方向の中心線から上記の範囲内にて左右方向にオフセットさせるのが好ましく、このようにしたときには、チェーンソーが左右方向に僅かに傾くようになってチェーンソーの操作性が良くなった。上記のように構成したチェーンソーにおいては、複数のバッテリパックの各々の重心を上記の範囲内に位置するようにするのが好ましい。
【０００９】
上記のように構成したチェーンソーにおいては、グリップ部の前部には電動モータを作動させるスイッチを有し、チェーンソーを側方から見たときの重心がスイッチの直ぐ後ろ位置を通る鉛直方向の直線から前後両側に１００ｍｍの長さの前後範囲内に位置するように、複数のバッテリパックを配置するのが好ましく、このようにしたときには、チェーンソーのトップハンドルのグリップ部を把持したときに、チェーンソーが前後方向に大きく傾きにくくなる。これにより、グリップ部を強く把持する必要がなく、疲れにくくなった。
【００１０】
上記のように構成したチェーンソーにおいては、複数のバッテリパックは２つのバッテリパックであるときに、２つのバッテリパックの重心がグリップ部の上下方向に延びる左右方向の中心線からの左右両側に分かれるように配置するのが好ましく、このようにしたときには、チェーンソーが左右方向にさらにバランスがよくなる。
【００１１】
上記のように構成したチェーンソーにおいては、複数のバッテリパックを本体ケーシングの底部に取り付けたときに、チェーンソーの重心が上下方向から見たときの複数のバッテリパックの範囲内の上側に位置するように、複数のバッテリパックを配置するのが好ましく、底部のバッテリパックが地面に接地するようにチェーンソーを地面に載置したときに、チェーンソーが倒れにくくなった。また、上記のように構成したチェーンソーにおいては、複数のバッテリパックを本体ケーシングの下部に取り付け、チェーンソーを水平な支持面に載置した載置状態にて、本体ケーシングの下部とバッテリパックとが支持面に接地するようにしたときに、チェーンソーの重心が本体ケーシングの接地部とバッテリパックの接地部との間に位置するように、複数のバッテリパックを配置したときにも、載置状態としたチェーンソーが倒れにくくなった。
【００１２】
上記のように構成したチェーンソーにおいては、チェーンソーを水平な支持面に載置した載置状態にて、バッテリパックが支持面に接地する位置に配置されたときに、バッテリパックを覆う保護部材を設けたときには、チェーンソーを支持面に置いたときに、バッテリパックが地面に当たって破損しにくくなる。
【００１３】
上記のように構成したチェーンソーにおいては、複数のバッテリパックを並列した位置に配置するのが好ましく、このようにしたときには、複数のバッテリパックの着脱作業の作業性が向上する。また、並列した位置に配置した複数のバッテリパックの互いに隣り合う壁面の間隔を１５ｍｍ以上としたときには、各々のバッテリパックを掴みやすくでき、バッテリパックの着脱作業の作業性がよくなる。また、バッテリパックの体積が２００ｃｍ3以上であるときに、並列した位置に配置した複数のバッテリパックの互いに隣り合う壁面の間隔を１５ｍｍ未満としたときには、複数のバッテリパックによる占有空間を狭くすることができる。
【００１４】
上記のように構成したチェーンソーにおいては、複数のバッテリパックを取り付けるための複数の取付部を備えるのが好ましい。このようにしたチェーンソーにおいては、バッテリパックは電池を内蔵したケーシングの一壁面に電気コネクタと、電気コネクタの両側に配置される一対のレールを備え、取付部は一対のレールに摺動自在に係合する一対のガイドレールを備えるようにしたときには、バッテリパックの一対のレールを取付部のガイドレールに沿って摺動させて取り付けるようにでき、取付作業の作業性がよくなった。また、バッテリパックには取付部に対して進退可能に突出するフックと、取付部にはフックに係止する係止部とを備え、フックを係止部に係止させることで、バッテリパックの一対のレールが取付部の一対のガイドレールに対して摺動移動するのを規制させるのが好ましい。また、バッテリパックを取付部に取り付けた状態からガイドレールに沿って取り外し方向に付勢する付勢部材を取付部に設けたときには、フックを係止部から外すだけでバッテリパックが付勢部材によりガイドレールに沿って取り外し方向に動くようになり、取り外し作業の作業性がよくなった。また、バッテリパックをガイドレールに沿って摺動自在に差し込む差込口を有し、バッテリパックの周囲を覆うバッテリパック収容部を取付部に設けたときに、バッテリパック収容部に収容したバッテリパックを掴んで差込口から取り出しにくくなるおそれがあるが、フックを係止部から外すだけで、バッテリパックが付勢部材により差込口から取り出す方向に移動するので、バッテリパックを掴んでバッテリパック収容部から取り出すことができるようになった。
【００１５】
上記のように構成したチェーンソーにおいては、複数のバッテリパックを電動モータに対して直列接続したときには、電動モータを高出力で使用することができる。また、複数のバッテリパックを電動モータに対して並列接続したときには、電動モータを長時間使用することができる。
【図面の簡単な説明】
【００１６】
【図１】本発明のチェーンソーの一実施形態を示す斜視図である。
【図２】図１の左側面図である。
【図３】図１の平面図である。
【図４】バッテリパックを取り外した状態の背面図である。
【図５】図１の背面図であり、後側から見たときの重心等を示す図である。
【図６】バッテリパックを示す斜視図である。
【図７】図６のＡ−Ａ断面図である。
【図８】バッテリパックがバッテリパック収容部に収容された変形例１の一部破断断面図であり、（ａ）はバッテリパックが収容された状態の一部破断断面図であり、（ｂ）はバッテリパックが付勢部材により差込口から押し出された状態の一部破断断面図である。
【図９】変形例２を示す背面図である。
【図１０】変形例３を示す平面図である。
【図１１】変形例４を示す（ａ）左側面図と（ｂ）背面図である。
【図１２】変形例５を示す（ａ）左側面図と（ｂ）背面図である。
【図１３】変形例６を示す（ａ）左側面図と（ｂ）背面図である。
【図１４】変形例７を示す左側面図である。
【図１５】変形例８を示す左側面図である。
【図１６】バッテリコントローラの位置を示す左側面図である。
【図１７】残量表示パネルによりバッテリパックの残量を示すようにした図である。
【発明を実施するための最良の形態】
【００１７】
以下、本発明のチェーンソーの一実施形態を図面を参照して説明する。図１〜図３に示したように、チェーンソー１０は本体ケーシング１１を備えており、本体ケーシング１１の前部には細長い板状のガイドバー２１が前方に突出して設けられている。ガイドバー２１の周部にはループ状のソーチェーン２２が回転可能に取り付けられている。ソーチェーン２２はガイドバー２１と、本体ケーシング１１内のガイドバー２１の直ぐ後側に回転可能に収容されたスプロケット（図示省略）との両者にわたって帳設されている。ソーチェーン２２には複数の刃部が連続して設けられている。
【００１８】
図１に示したように、本体ケーシング１１の左部には前後方向の中間部に左方に張り出した電動モータ収容部１１ａが設けられており、この電動モータ収容部１１ａにはソーチェーン２２をガイドバー２１の周部に沿って回転させる電動モータ２３が収容されている。電動モータ２３の出力軸は上記のスプロケットに接続され、電動モータ２３を作動させるとスプロケットを介してソーチェーン２２をガイドバー２１の周部に沿って回転する。
【００１９】
図１〜３に示したように、本体ケーシング１１の上部にはガイドバー２１より上側にて前後方向に延出したトップハンドル１２が設けられ、本体ケーシング１１の前部には左右方向に延出したフロントハンドル１４が設けられている。トップハンドル１２は長手方向の中間部に作業者が把持するグリップ部１２ａを有している。グリップ部１２ａの長手方向と直交する方向の断面形状は略円形となっており、グリップ部１２ａの左右方向の長さ（幅）は手で把持する大きさに適した３０ｍｍとなっている。なお、グリップ部１２ａの左右方向の長さを２５ｍｍ〜４０ｍｍとしてもよく、この範囲であれば手で把持するのに適している。また、トップハンドル１２のグリップ部１２ａの前部の下部にはトリガスイッチ１３が設けられており、トリガスイッチ１３を押動操作すると電動モータ２３が作動する。フロントハンドル１４は基端部がトップハンドル１２の前部からトップハンドル１２と直交する左方向に延出し、先端部が下方に延びて電動モータ収容部１１ａに固定されている。フロントハンドル１４の前側にはハンドガード１５が設けられており、ハンドガード１５は前方に傾動することで電動モータ２３を作動停止させる機能を有している。また、本体ケーシング１１内の前後方向の中間部には潤滑油を貯留したオイルタンク１６が設けられており、オイルタンク１６はスプロケット及びソーチェーン２２に潤滑油を供給するためのものである。
【００２０】
図１〜図３に示したように、本体ケーシング１１の後部には電動モータ２３に給電する電源３０が着脱可能に取り付けられている。この実施形態の電源３０は上下方向に並ぶ２つのバッテリパック３１よりなる。図４はバッテリパック３１を取り外した状態の本体ケーシング１１の背面図であり、本体ケーシング１１の後部には上下方向に並ぶ２つの取付部２４，２４が設けられており、各取付部２４はバッテリパック３１を取り付けるためのものである。取付部２４はコネクタ部２４ａを備えており、コネクタ部２４ａはバッテリパック３１の電気コネクタ３４に接続されて電動モータ２３とバッテリパック３１とを電気的に接続する。コネクタ部２４ａの上下方向の両側には左右方向（横方向）に延びる上下一対のガイドレール２４ｂ，２４ｂが設けられており、これらガイドレール２４ｂ，２４ｂはバッテリパック３１を左右方向にスライド移動可能に取り付けるためのものである。取付部２４には内側に凹んで形成された係止部２４ｃが形成されており、この係止部２４ｃはバッテリパック３１に設けたフック３６に係止してバッテリパック３１がガイドレール２４ｂ，２４ｂに沿って摺動移動するのを規制する。
【００２１】
バッテリパック３１は電動モータ２３の電源として用いられるものであり、図示しない充電器を用いて充電可能である。また、バッテリパック３１は電動ドライバ、電動カッタ等の電動工具の電源として使用可能なものであり、この実施形態のバッテリパック３１は公称電圧が１８Ｖとなっている。２つのバッテリパック３１，３１は電動モータ２３に対して直列接続されている。
【００２２】
図６及び図７に示したように、バッテリパック３１は略直方体形状のケーシング３２を備えており、ケーシング３２内には円柱形をした１０本の電池セル３３が収容されている。バッテリパック３１はケーシング３２の長手方向を取付部２４にスライド移動させて取り付ける方向としており、電池セル３３はその軸線方向を取付部２４にスライド移動させて取り付ける方向と直交する方向にして収容されている。なお、このバッテリパック３１はケーシング３２の略中心位置が重心Ｇ２となっている。
【００２３】
ケーシング３２の図６に示した上壁（周壁）は取付部２４に対向する壁面であり、この上壁には電気コネクタ３４が設けられている。電気コネクタ３４は上述したように本体ケーシング１１の取付部２４のコネクタ部２４ａに着脱可能に接続される。ケーシング３２の図６に示した上壁面には長手方向に延びる一対のレール３５，３５が一体的に形成されている。これらレール３５，３５はケーシング３２の長手方向と直交する方向にて電気コネクタ３４の両側に設けられている。ケーシング３２の図６に示した上壁には取付部２４に向けて突出するフック３６が形成されており、このフック３６は取付部２４の係止部２４ｃにばね部材３７により付勢されている。フック３６が取付部２４の係止部２４ｃに係止しているときには、バッテリパック３１がガイドレール２４ｂ，２４ｂに沿って摺動せず、バッテリパック３１の電気コネクタ３４が取付部２４のコネクタ部２４ａに接続される。フック３６を解除ボタン３６ａによりばね部材３７の付勢力に抗して係止部２４ｃから後退させると、バッテリパック３１がガイドレール２４ｂ，２４ｂに沿って摺動可能となる。この状態で、バッテリパック３１をガイドレール２４ｂ，２４ｂに沿ってスライド移動させると、バッテリパック３１が取付部２４から取り外される。このとき、バッテリパック３１の電気コネクタ３４は取付部２４のコネクタ部２４ａから離脱する。
【００２４】
上記のように構成したチェーンソー１０は、右手でトップハンドル１２のグリップ部１２ａを把持し、左手でフロントハンドル１４を把持し、右手の人差し指でグリップ部１２ａの前部のトリガスイッチ１３を押動すると、２つのバッテリパック３１，３１からの給電により電動モータ２３が作動する。ソーチェーン２２が電動モータ２３の作動によりガイドバー２１の周部に沿って回転し、ソーチェーン２２が回転するガイドバー２１を木に当てることにより、木が切断される。
【００２５】
上記のように構成したチェーンソー１０においては、電動モータ２３に給電する電源３０には電動工具に使用可能な、充電可能な２つ（複数）のバッテリパック３１，３１を用いている。このように、チェーンソー１０の電源に電動工具にも使用可能な汎用性の高いバッテリパック３１，３１を用いたことで、ユーザはチェーンソー１０と電動工具とともに多種のバッテリパックを所持する必要がなく、ユーザの使い勝手を向上させることができた。
【００２６】
また、チェーンソー１０の重心Ｇは、主として、重量物である電動モータ２３の位置と、他にオイルタンク１６及びガイドバー２１等の位置と、同様に重量物である２つのバッテリパック３１，３１の位置により定まる。チェーンソー１０の重心Ｇの位置が適切でないと操作性が低下するおそれがある。このチェーンソー１０においては、作業者がトップハンドル１２のグリップ部１２ａを右手で把持したときに、人差し指でトリガスイッチ１３を操作するため、主として右手の中指でチェーンソー１０の重量が支えられることになる。よって、本発明では、トップハンドル１２を把持した右手の中指のある位置、すなわちグリップ部１２ａのトリガスイッチ１３の直ぐ後側の位置Ｐを基準として、チェーンソー１０の前後方向及び左右方向の重量バランスが適切となるように、バッテリパック３１，３１を本体ケーシング１１の適切な位置に配置した。
【００２７】
このチェーンソー１０は電動モータ収容部１１ａを含めた本体ケーシング１１の左右方向の長さは２２０ｍｍで、電動モータ収容部１１ａを除いた本体ケーシング１１の左右方向の長さは１４０ｍｍとなっている。図５に示したように、このチェーンソー１０においては、後側からみたときの重心Ｇがグリップ部１２ａの上下方向に延びる左右方向の中心線Ｃｗから左右両側にグリップ部１２ａの左右方向の長さＷ（３０ｍｍ）の２倍の長さの範囲Ｒ（Ｒ１）に位置するように、２つのバッテリパック３１，３１を本体ケーシング１１の後部にて少し右側に配置した。この実施形態では、電動モータ２３の重心Ｇ１がグリップ部１２ａの中心線Ｃｗより左側に位置している。そのために、２つのバッテリパック３１，３１の重心Ｇ２，Ｇ２を電動モータ２３の重心Ｇ１とは反対側、すなわち中心線Ｃｗより右側となるようにバッテリパック３１，３１を配置した。これにより、チェーンソー１０のトップハンドル１２のグリップ部１２ａを把持したときに、チェーンソー１０が左右方向に傾きにくくなり、グリップ部１２ａを強く把持する必要がなくなり、作業者が疲れにくくなった。なお、後側からみたときの重心Ｇがグリップ部１２ａの上下方向に延びる左右方向の中心線Ｃｗから左右両側にグリップ部１２ａの左右方向の長さ（３０ｍｍ）の範囲Ｒ（Ｒ２）にも位置しているので、チェーンソー１０が左右方向にさらに傾きにくくなっている。
【００２８】
このチェーンソー１０においては、チェーンソー１０の後側から見たときの重心Ｇを、グリップ部１２ａのトリガスイッチ１３の直ぐ後側の位置Ｐにて、上下方向に延びる左右方向の中心線Ｃｗから上記の範囲Ｒ（Ｒ１，Ｒ２）内にて左右方向で特にフロントハンドル１４側の左側にオフセットさせている。このようにしたときには、右手でトップハンドル１２を把持し、左手でフロントハンドル１４を把持したときに、両手の間にチェーンソー１０の重心Ｇの位置があるようになり、両手で把持したときに疲れにくくなった。なお、チェーンソー１０の後側から見たときの重心Ｇを、グリップ部１２ａのトリガスイッチ１３の直ぐ後側の位置Ｐにて、上下方向に延びる左右方向の中心線Ｃｗから上記の範囲Ｒ（Ｒ１，Ｒ２）内にて左右方向の右側にオフセットさせてもよい。
【００２９】
このチェーンソー１０はバッテリパック３１，３１を含めた本体ケーシング１１の前後方向の長さは３００ｍｍで、バッテリパック３１，３１を除いた本体ケーシング１１の左右方向の長さは２５０ｍｍとなっている。図２に示したように、このチェーンソー１０においては、グリップ部１２ａの前部には電動モータ２３を作動させるトリガスイッチ１３が設けられ、チェーンソー１０の側方から見たときの重心Ｇがトリガスイッチ１３の直ぐ後ろ位置Ｐを通る鉛直方向の直線Ｌから前後両側に１００ｍｍの長さの前後範囲Ｒｆ内に位置するように、２つのバッテリパック３１，３１を本体ケーシング１１の後部に配置した。これにより、チェーンソー１０のトップハンドル１２のグリップ部１２ａを把持したときに、チェーンソー１０が前後方向に大きく傾きにくくなるので、グリップ部１２ａを強く把持する必要がなく、疲れにくくなった。
【００３０】
チェーンソー１０により丸太等の木を切断作業をするときには、ガイドバー２１の先端側が少し上向きとなる傾斜姿勢にし、ガイドバー２１を丸太等の木の作業者側の斜め上側から押しつけるようにしている。本実施形態では、チェーンソー１０を側方から見たときの重心Ｇをトリガスイッチ１３の直ぐ後ろ位置Ｐを通る鉛直方向の直線Ｌから前後範囲Ｒｆ内の後側に位置させている。このようにしたことで、グリップ部１２ａを把持したときに、チェーンソー１０のガイドバー２１の前端側が少し上向きとなる傾斜姿勢に傾くようになり、丸太等の木の切断作業をするときの負荷が軽減される。
【００３１】
図２に示したように、このチェーンソー１０においては、下側のバッテリパック３１を本体ケーシング１１後部の下部に取り付け、チェーンソー１０を水平な支持面Ｓに載置した載置状態にて、本体ケーシング１１の前側下部と下側のバッテリパック３１とが支持面Ｓに接地するようにした。このとき、チェーンソー１０の重心Ｇが本体ケーシング１１の接地部とバッテリパック３１の接地部との間に位置するようにしたので、載置状態としたチェーンソー１０が前後方向に倒れにくくなった。
【００３２】
このチェーンソー１０においては、２つ（複数）のバッテリパック３１，３１を上下に並列した位置に配置した。これにより、バッテリパック３１，３１を互いに離間した位置に配置したときと比べ、ユーザによるバッテリパック３１，３１の着脱作業の作業性が向上した。また、バッテリパック３１の体積は５４０ｃｍ3であり、バッテリパック３１の体積が２００ｃｍ3以上であるときには、並列した位置に配置した２つのバッテリパック３１，３１の互いに隣り合う壁面の間隔を１５ｍｍ未満とするのが好ましく、この実施形態ではその間隔を５ｍｍとした。このように、バッテリパック３１の体積が２００ｃｍ3以上であるときには、バッテリパック３１，３１の間隔を狭くすることで、バッテリパック３１，３１による占有空間を狭くすることができた。
【００３３】
このチェーンソー１０においては、２つのバッテリパック３１，３１を取り付けるために、本体ケーシング１１は後部に２つの取付部２４，２４を備えている。バッテリパック３１，３１は電池セル３３を内蔵したケーシング３２の周壁に電気コネクタ３４と、電気コネクタ３４の両側に配置される一対のレール３５，３５を備え、取付部２４は一対のレール３５，３５に摺動自在に係合する一対のガイドレール２４ｂ，２４ｂを備えるようにした。これにより、バッテリパック３１の一対のレール３５，３５を取付部２４のガイドレール２４ｂ，２４ｂに沿って摺動させて取り付けることができ、バッテリパック３１の取付部２４に対する取付作業の作業性がよくなった。
【００３４】
また、バッテリパック３１には取付部２４に対して進退可能に突出するフック３６と、取付部２４にはフック３６に係止する係止部２４ｃとを備えている。フック３６を係止部２４ｃに係止させることで、バッテリパック３１の一対のレール３５，３５が取付部２４の一対のガイドレール２４ｂ，２４ｂに対して摺動移動するのを規制されて、バッテリパック３１が取付部２４に取り付けられる。これにより、バッテリパック３１の取付部２４に対する取付作業の作業性がよくなった。
【００３５】
次に、このチェーンソー１０において、２つのバッテリパックを用いた他の変形例について説明する。以下の説明においては、主として上述した実施形態のチェーンソー１０と異なることについて説明し、別段の記載がない限り上述した作用効果の記載を省略している。
【００３６】
（変形例１）
図８に示した変形例１では、本体ケーシング１１には取付部２４にバッテリパック３１，３１の周囲を覆うバッテリパック収容部２５を設けた。バッテリパック収容部２５はバッテリパック３１，３１に汚れが付着するのを防ぐためのものである。バッテリパック収容部２５の一側面にはバッテリパック３１の差込口２５ａが形成されており、差込口２５ａからバッテリパック３１を挿入可能となっている。バッテリパック３１を差込口２５ａから取付部２４のガイドレール２４ｂ，２４ｂに沿って奥まで摺動させると、フック３６が取付部２４の係止部２４ｃに係止され、バッテリパック３１が取付部２４に取り付けられる。
【００３７】
また、取付部２４にはバッテリパック収容部２５内にてバッテリパック３１を差込口２５ａから取り出す方向に付勢するばね部材（付勢部材）２６が設けられている。バッテリパック収容部２５内にて取付部２４に取り付けたバッテリパック３１を取り出すときには、解除ボタン３６ａを押動することでフック３６を係止部２４ｃの係止から解除すると、図８（ｂ）に示したように、バッテリパック３１がばね部材２６により差込口２５ａから取り出し方向に移動する。これにより、バッテリパック３１の一部を掴んでバッテリパック収容部２５から取り出しやすくなった。なお、バッテリパック収容部２５は２つのバッテリパック３１，３１の両方を収容しているが、本発明はこれに限られるものでなく、バッテリパック収容部２５に１つのバッテリパック３１を収容し、バッテリパック３１の数に対応した複数のバッテリパック収容部２５を設けるようにしてもよい。
【００３８】
（変形例２）
図９に示したように、このチェーンソー１０は、バッテリパック３１，３１を本体ケーシング１１の後部に左右方向に並べて配置したものである。本体ケーシング１１の後部には左右方向に並ぶ２つの取付部２４，２４が設けられている。取付部２４のコネクタ部２４ａの左右方向の両側には上下方向に延びる左右一対のガイドレール２４ｂ，２４ｂが設けられている。バッテリパック３１はこれらガイドレール２４ｂ，２４ｂに沿って下方向にスライド移動させて取り付けられる。
【００３９】
このように構成したチェーンソー１０においては、チェーンソー１０の重心Ｇが上述した範囲Ｒ内にある状態で、２つのバッテリパック３１，３１の各々の重心Ｇ２，Ｇ２を範囲Ｒ内に位置させるとともに、バッテリパック３１，３１の各々の重心Ｇ２，Ｇ２を上下方向に延びる左右方向の中心線Ｃｗの左右両側に分かれるように配置した。このようにしたときにも、チェーンソー１０が左右方向にバランスがよくなった。この作用効果以外は、上述した作用効果と同様である。なお、この変形例２においても、変形例１に示したようにバッテリパック収容部２５及びばね部材２６を設けてもよい。
【００４０】
（変形例３）
図１０に示したように、このチェーンソー１０は、変形例２にて示したバッテリパック３１，３１を本体ケーシング１１の後部に左右方向に並べて配置したものにおいて、バッテリパック３１，３１が後側に向かうにつれて、互いに対向する壁面の間隔が広がるように配置したものである。すなわち、上方から見たときのバッテリパック３１，３１はハの字形に広がるように取り付けられている。
【００４１】
このようにしたときには、バッテリパック３１，３１の互いに隣り合う壁面の間隔を１５ｍｍ（少なくとも前後方向の中間部から後部まで）以上とでき、各々のバッテリパック３１，３１を掴みやすくでき、バッテリパック３１，３１の着脱作業の作業性を向上させることができた。この作用効果以外についても、上述した変形例２と同様の作用効果を得ることができる。なお、この変形例３において、変形例１に示したようにバッテリパック収容部２５及びばね部材２６を追加で設けてもよい。
【００４２】
（変形例４）
図１１に示したように、このチェーンソー１０は、１つのバッテリパック３１を本体ケーシング１１の後部に取り付け、もう１つのバッテリパック３１を本体ケーシング１１の下部に取り付けたものである。本体ケーシング１１の後部のバッテリパック３１は下方向にスライド移動させて取り付けられ、本体ケーシング１１の下部のバッテリパック３１は前方向にスライド移動させて取り付けられる。２つのバッテリパック３１，３１の重心Ｇ２，Ｇ２は、グリップ部１２ａの中心線Ｃｗから少し右側にずらした位置に配置されている。なお、本体ケーシング１１の後部に取り付けたバッテリパック３１を左右方向にスライド移動可能に取り付けたものであってよい。また、同様に、本体ケーシング１１の下部に取り付けたバッテリパック３１を前後方向に代えて左右方向にスライド移動可能に取り付けたものであってよい。
【００４３】
このように構成したチェーンソー１０においても、上述した実施形態と同様の作用効果を得ることができる。なお、この変形例４においても、変形例１に示したようにバッテリパック収容部２５及びばね部材２６を設けてもよい。
【００４４】
（変形例５）
図１２に示したように、このチェーンソー１０は、バッテリパック３１，３１を本体ケーシング１１の底部（下部）に前後方向に並べて配置したものである。本体ケーシング１１の底部には前後方向に並ぶ２つの取付部２４，２４が設けられている。取付部２４のコネクタ部２４ａの前後方向の両側には左右方向に延びる前後一対のガイドレール２４ｂ，２４ｂが設けられている。バッテリパック３１はこれらガイドレール２４ｂ，２４ｂに沿って右方向にスライド移動させて取り付けられる。２つのバッテリパック３１，３１の重心Ｇ２，Ｇ２は、グリップ部１２ａの中心線Ｃｗから少し右側にずらした位置に配置されている。
【００４５】
また、チェーンソー１０の重心Ｇが上下方向から見たときのバッテリパック３１，３１の範囲内の上側に位置するように、バッテリパック３１，３１を配置している。これにより、底部のバッテリパック３１，３１が支持面Ｓに接地するようにチェーンソー１０を支持面Ｓに載置したときに、チェーンソー１０が倒れにくくなった。
【００４６】
また、本体ケーシング１１には、変形例１で示したように、取付部２４を設けた位置にバッテリパック３１の周囲を覆うバッテリパック収容部２５を設けた。このバッテリパック収容部２５は、上述したように、バッテリパック３１の汚れが付着するのを防ぐとともに、チェーンソー１０を支持面Ｓに載置したときに、バッテリパック３１の接地面を覆う保護部材としても機能する。バッテリパック収容部２５をバッテリパック３１の接地面を覆う保護部材としたことで、チェーンソー１０を支持面Ｓに載置したときに、バッテリパック３１が支持面Ｓに当たらないようになり、バッテリパック３１が支持面Ｓに当たって破損するのを防ぐことができた。なお、バッテリパック収容部２５を保護部材としたときには、金属製の厚肉の板材を用いると強度が高くなって好ましい。なお、変形例８においても、変形例１に示したようにバッテリパック収容部２５内にばね部材２６を設けてもよい。このように構成したチェーンソー１０においても、上述した実施形態と同様の作用効果を得ることができる。
【００４７】
（変形例６）
図１３に示したように、このチェーンソー１０は、バッテリパック３１，３１を本体ケーシング１１の底部（下部）に左右方向に並べて配置したものである。本体ケーシング１１の底部には左右方向に並ぶ２つの取付部２４，２４が設けられている。取付部２４のコネクタ部２４ａの左右方向の両側には前後方向に延びる左右一対のガイドレール２４ｂ，２４ｂが設けられている。バッテリパック３１はこれらガイドレール２４ｂ，２４ｂに沿って前方向にスライド移動させて取り付けられる。このように構成したチェーンソー１０においては、２つのバッテリパック３１，３１の各々の重心Ｇ２，Ｇ２を範囲Ｒ内に位置させるとともに、バッテリパック３１，３１の各々の重心Ｇ２，Ｇ２を上下方向に延びる左右方向の中心線Ｃｗの左右両側に分かれるように配置した。また、チェーンソー１０の重心Ｇが上下方向から見たときのバッテリパック３１，３１の範囲内の上側に位置するように、バッテリパック３１，３１を配置している。これにより、底部のバッテリパック３１，３１が支持面Ｓに接地するようにチェーンソー１０を支持面Ｓに載置したときに、チェーンソー１０が倒れにくくなった。
【００４８】
このように構成したチェーンソー１０においても、上述した実施形態と同様の作用効果を得ることができる。なお、この変形例６においても、変形例１に示したようにバッテリパック収容部２５及びばね部材２６を設けてもよく、変形例１で説明した作用効果に、さらに変形例５で説明した保護部材としての作用効果を得ることができる。
【００４９】
（変形例７）
図１４に示したように、このチェーンソー１０は、バッテリパック３１，３１を本体ケーシング１１の後部の下部に左右方向に並べて配置したものである。本体ケーシング１１の後部の下部には左右方向に並ぶ２つの取付部２４，２４が設けられている。取付部２４のコネクタ部２４ａの左右方向の両側には前後方向に延びる左右一対のガイドレール２４ｂ，２４ｂが設けられている。バッテリパック３１はこれらガイドレール２４ｂ，２４ｂに沿って前側の斜め下方向にスライド移動させて取り付けられる。
【００５０】
このように構成したチェーンソー１０においても、上述した実施形態と同様の作用効果を得ることができる。なお、この変形例７においても、変形例１に示したようにバッテリパック収容部２５及びばね部材２６を設けてもよい。
【００５１】
（変形例８）
図１５に示したように、このチェーンソー１０は、バッテリパック３１，３１を本体ケーシング１１の後部に上下方向に並べて配置したものであり、各バッテリパック３１，３１は後側に進むにつれて上方に傾斜するようにして取り付けられている。本体ケーシング１１の後部には上下方向に並ぶ２つの取付部２４，２４が設けられている。取付部２４のコネクタ部２４ａの左右方向の両側には前後方向に延びる左右一対のガイドレール２４ｂ，２４ｂが設けられている。バッテリパック３１はこれらガイドレール２４ｂ，２４ｂに沿って前側の斜め下方向にスライド移動させて取り付けられる。
【００５２】
このように構成したチェーンソー１０においても、上述した実施形態と同様の作用効果を得ることができる。なお、この変形例８においても、変形例１に示したようにバッテリパック収容部２５及びばね部材２６を設けてもよい。
【００５３】
上記のように構成したチェーンソー１０においては、２つのバッテリパック３１を電動モータ２３に対して直列接続したものについて説明したが、本発明はこれに限られるものでない。２つ（複数）のバッテリパック３１を電動モータ２３に対して直列接続したときには、電動モータ２３を高出力で使用することができ、これに対し、２つ（複数）のバッテリパック３１を電動モータ２３に対して並列接続したときには、電動モータ２３を長時間使用することが可能となる。なお、この直列接続及び並列接続を制御回路により選択可能としてもよい。
【００５４】
上記のように構成したチェーンソー１０においては、公称電圧が１８Ｖのバッテリパック３１を用いて説明したが、本発明はこれに限られるものでなく、これよりも大型（高電圧）または小型（低電圧）のバッテリパックを用いたものであってもよい。また、上記の実施形態では、同一体積、同一重量のバッテリパック３１を２つ用いたものについて説明したが、本発明はこれに限られるものでなく、異なる体積、異なる重量のバッテリパックを適宜組み合わせたものであってもよい。
【００５５】
上記のチェーンソー１０の実施形態においては、バッテリパック３１の種々の配置形態を示したが、バッテリパック３１の配置形態は上記に限られるものではない。例えば、上記で示したバッテリパック３１の配置箇所を適宜組み合わせ、各々の配置箇所にバッテリパック３１を１つずつ配置していてもよい。また、本体ケーシング１１の左側壁にてハンドガード１５の下側に１つのバッテリパック３１と、本体ケーシング１１の右側壁にもう１つのバッテリパック３１とを、本体ケーシング１１の左右の両側壁に分けて配置してもよい。
【００５６】
また、複数のバッテリパック３１を直列接続したときには、各バッテリパック３１の電圧を制御するバッテリコントローラを備えるのが好ましい。バッテリコントローラを電動モータ２３の作動を制御するモータコントローラとともに一体とし、同一のマイコンにより電動モータ２３の作動を制御するとともにバッテリパック３１の電圧を制御してもよく、また、バッテリコントローラを電動モータ２３の作動を制御するモータコントローラと別体にし、各々のマイコンにより電動モータ２３の作動の制御と、バッテリパック３１の電圧の制御とをしてもよい。なお、バッテリコントローラをモータコントローラと一体とした方が、部品点数の削減、占有空間の減少及び必要な配線の削減等の点で好ましい。
【００５７】
また、図１６に示したように、バッテリコントローラ（モータコントローラと一体または別体のときの両方）はバッテリパック３１を取り付けた位置の近傍Ａの位置に設けるのが好ましく、このようにしたときには、バッテリパック３１に対する配線を短くできる。また、バッテリコントローラ（モータコントローラと一体または別体のときの両方）を本体ケーシング１１の排気口１１ｂの近傍Ｂの位置に設けたときには、本体ケーシング１１から排出される空気によりバッテリコントローラが冷却されるようになる。バッテリコントローラを冷却するときには、排気口１１ｂの近傍Ｂの位置に限られるものでなく、電動モータ２３に設けた冷却ファンによって生じる空気の通路、すなわち、本体ケーシング１１内に流入して冷却ファンに至る経路及び冷却ファンから本体ケーシング１１の外部に排出される経路にバッテリコントローラを設けるようにしてもよく、このようにしたときには、バッテリコントローラを通過する空気により冷却することができる。
【００５８】
また、上記のように構成したチェーンソー１０においては、２つ（複数）のバッテリパック３１，３１を直列接続したときには、２つのうちの１つのバッテリパック３１が故障または放電したことに起因して電動モータ２３を作動させることができないおそれがある。そのため、各バッテリパック３１の残量を報知する報知手段（表示手段）を設けるのが好ましい。報知手段は例えば残量表示パネル４０であり、残量表示パネル４０は複数のバーの表示する数に応じてバッテリの残量を表示する。残量表示パネル４０はユーザがバッテリパック３１を取付け時、または、チェーンソー１０の使用時に視認できる位置に設けるのが好ましい。
【００５９】
図１７（ａ）のようにバッテリパック３１，３１を本体ケーシング１１の後部に上下方向に並べて取り付けたときには、本体ケーシング１１の左側壁の後部に各々のバッテリパック３１，３１の残量表示パネル４０，４０を上下方向に並べて配置するのが好ましい。この位置であれば、ユーザがバッテリパック３１を取付けるときに視認できる位置となる。
【００６０】
また、図１７（ｂ）のようにバッテリパック３１，３１を本体ケーシング１１の後部に左右方向に並べて取り付けたときには、本体ケーシング１１の上壁後部に残量表示パネル４０，４０を左右方向に並べて配置するか、または、本体ケーシング１１の電動モータ収容部１１ａの上部に残量表示パネル４０Ａ，４０Ａを左右方向に並べて配置するのが好ましい。このようにしたときには、ユーザがバッテリパック３１を取付けるときに視認できる位置となるだけでなく、チェーンソー１０を使用しているときにも視認できる位置となる。
【００６１】
また、図１７（ｃ）のようにバッテリパック３１，３１を本体ケーシング１１の底部に前後方向に並べて取り付けたときには、本体ケーシング１１の電動モータ収容部１１ａの上部に残量表示パネル４０，４０を前後方向に並べて配置するのが好ましい。このようにしたときにも、ユーザがバッテリパック３１を取付けるときに視認できる位置となるだけでなく、チェーンソー１０を使用しているときにも視認できる位置となる。また、残量表示パネル４０，４０をバッテリパック３１，３１が並ぶ方向と同じ方向に並べて配置したことで、ユーザは各々のバッテリパック３１，３１の残量を残量表示パネル４０，４０により直感的に視認できる。また、報知手段として残量表示パネル４０の複数のバーによりバッテリの残量を表示するようにしたが、これに限られるものでなく、ランプの色または点滅速度、報知音により報知させてもよい。
【符号の説明】
【００６２】
１０…チェーンソー、１１…本体ケーシング、２１…ガイドバー、２２…ソーチェーン、２３…電動モータ、２４…取付部、２４ａ…コネクタ部、２４ｂ…ガイドレール、２４ｃ…係止部、２５…バッテリパック収容部（保護部材）、２５ａ…差込口、２６…付勢部材（ばね部材）、３０…電源、３１…バッテリパック、３２…ケーシング、３３…電池セル、３４…電気コネクタ、３５…レール、３６…フック、Ｇ…チェーンソーの重心、Ｇ１…電動モータの重心、Ｇ２…バッテリパックの重心、Ｃｗ…中心線（グリップ部を後側から見たときの上下方向に延びる左右方向の中心線）、Ｒ（Ｒ１〜Ｒ２）…範囲（グリップ部の中心線Ｃｗから左右両側にグリップ部の左右方向の長さの２倍または左右方向と同じ長さの範囲），Ｒｆ…範囲（グリップ部のトリガスイッチの直ぐ後側の位置Ｐにて、鉛直方向に延び直線Ｌから前後両側の範囲）、Ｓ…支持面。
【図１】
2014148117.tif 000003
【図２】
2014148117.tif 000004
【図３】
2014148117.tif 000005
【図４】
2014148117.tif 000006
【図５】
2014148117.tif 000007
【図６】
2014148117.tif 000008
【図７】
2014148117.tif 000009
【図８】
2014148117.tif 000010
【図９】
2014148117.tif 000011
【図１０】
2014148117.tif 000012
【図１１】
2014148117.tif 000013
【図１２】
2014148117.tif 000014
【図１３】
2014148117.tif 000015
【図１４】
2014148117.tif 000016
【図１５】
2014148117.tif 000017
【図１６】
2014148117.tif 000018
【図１７】
2014148117.tif 000019